(57)【特許請求の範囲】
【請求項１】
光を出射する発光部を備え、
前記発光部は、出射する光の放射角度分布を、少なくとも、第１の放射角度分布と、当該第１の放射角度分布よりも広い第２の放射角度分布との間で変更可能であり、
前記発光部は、励起光を受けて前記光である蛍光を出射する蛍光体を含み、
前記発光部のうち厚みの異なる部分に前記励起光が選択的に照射されることにより、前記第１の放射角度分布と前記第２の放射角度分布とを切り替えることを特徴とする発光装置。
【請求項２】
前記発光部は、少なくとも、前記第１の放射角度分布で光を出射する第１の発光部分と、前記第２の放射角度分布で光を出射する第２の発光部分とを含み、
前記第１の発光部分および前記第２の発光部分の一方を、選択的に発光させることを特徴とする請求項１に記載の発光装置。
【請求項３】
前記発光部は、前記第１の発光部分および前記第２の発光部分の一方に、前記励起光が選択的に照射されることを特徴とする請求項２に記載の発光装置。
【請求項４】
前記発光部を載置する可動式の載置部をさらに備え、
前記載置部は、前記第１の発光部分および前記第２の発光部分の一方に、前記励起光が照射されるように、当該励起光に対する前記発光部の相対的な位置または角度を変化させることを特徴とする請求項３に記載の発光装置。
【請求項５】
前記励起光は、前記発光部から出射された光を投光する投光部の焦点に向けて照射されていることを特徴とする請求項３または４に記載の発光装置。
【請求項６】
前記第２の発光部分は、前記第１の発光部分よりも厚みが大きい形状であることを特徴とする請求項３から５のいずれか１項に記載の発光装置。
【請求項７】
前記第１の発光部分は、前記発光部が載置される載置面に対して略平行な平板形状であり、
前記第２の発光部分は、前記載置面に当接する底面に対して垂直な方向に向かって、当該底面に平行な断面積が徐々に減少する形状であることを特徴とする請求項６に記載の発光装置。
【請求項８】
前記発光部は、厚みが徐々に変化する連続的な形状であり、
前記連続的な形状のうち、任意の厚みを有する部分が前記第１の発光部分となり、当該任意の厚みを有する部分よりも厚みが大きい部分が前記第２の発光部分となることを特徴とする請求項６に記載の発光装置。
【請求項９】
前記発光部は、リング形状であることを特徴とする請求項８に記載の発光装置。
【請求項１０】
前記励起光は、レーザ光であることを特徴とする請求項１から９のいずれか１項に記載の発光装置。
【請求項１１】
前記載置部は、スライド可能または回転可能に設けられていることを特徴とする請求項４に記載の発光装置。
【請求項１２】
前記発光部は、出射する光の放射角度分布を、互いに異なる３つ以上の放射角度分布に変更可能であることを特徴とする請求項１から１１のいずれか１項に記載の発光装置。
【請求項１３】
請求項１から１２のいずれか一項に記載の発光装置と、
前記発光部から出射された光を投光する投光部とを備えることを特徴とする照明装置。
【請求項１４】
請求項１３に記載の照明装置を備えることを特徴とする車両用前照灯。
【請求項１５】
前記照明装置を搭載する車両の速度に応じて、前記発光部から出射される光の放射角度分布を、前記第１の放射角度分布と前記第２の放射角度分布との間で変更することを特徴とする請求項１４に記載の車両用前照灯。
【発明の詳細な説明】
【技術分野】
【０００１】
本発明は、半導体発光素子を備えた照明装置および車両用前照灯に関する。
【背景技術】
【０００２】
近年、励起光源としてＬＥＤ（Light Emitting Diode）やＬＤ（Laser Diode）等の半導体発光素子を用い、これらの励起光源から生じた励起光を、蛍光体を含む発光部に照射して照明光を発生させる照明装置が提案されている。
【０００３】
このような照明装置に関連して、特許文献１には、ＬＤを用いて蛍光体を含む発光部にレーザ光を照射し、発光部から出射された蛍光を照明光として利用する照明装置が開示されている。この照明装置では、発光部から出射された蛍光は、リフレクタによって反射され、所定の投光範囲に向けて出射される。
【先行技術文献】
【特許文献】
【０００４】
【特許文献１】特開２００３−２９５３１９号公報（２００３年１０月１５日公開）
【発明の概要】
【発明が解決しようとする課題】
【０００５】
ここで、照明装置一般において、照明光の投光範囲を可変とすることで、状況に応じて投光範囲を拡大したり、また、必要な範囲のみを必要な光量で照らすことで省電力化を図ることができる。
【０００６】
特に近年、自動車用ヘッドライト等の車両用前照灯の分野では、車両の走行状態に応じて、ヘッドライトから出射される照明光の投光範囲を変化させる技術の開発が望まれている。例えば、高速道路等における高速走行時には車両の前方の狭い範囲を効率的に照明することが好ましく、一方、市街地等における低速走行時には車両の前方周辺も含めた広い範囲を照明することが好ましい。
【０００７】
従って、車両の走行状態に応じて、照明光の投光範囲を最適な範囲に変化させることで、ドライバーの良好な視界を確保することが安全な交通環境の実現の観点から望ましい。
【０００８】
しかしながら、特許文献１には、投光範囲を変化させる技術に関する記述はなく、照明光の投光範囲を変化させる技術の開発に資することはできない。
【０００９】
本発明は、上記の課題に鑑みてなされたものであって、その目的は、発光部の放射角度分布を変更することにより、出射する照明光の投光範囲を簡易な構成で変化させることができる照明装置および車両用前照灯を提供することにある。
【課題を解決するための手段】
【００１０】
本発明に係る照明装置は、上記の課題を解決するために、光を出射する発光部と、前記発光部から出射された光を投光する投光部とを備え、前記発光部は、出射する光の放射角度分布を、少なくとも、第１の放射角度分布と、当該第１の放射角度分布よりも広い第２の放射角度分布との間で変更可能であることを特徴としている。
【００１１】
上記の構成では、発光部は、出射する光の放射角度分布を、少なくとも、第１の放射角度分布と、当該第１の放射角度分布よりも広い第２の放射角度分布との間で変更可能であ
る。そのため、第１の放射角度分布で発光部から出射された光が投光部によって投光される投光範囲と、第２の放射角度分布で投光部から出射された光が投光部によって投光される投光範囲とを異ならせることができる。
【００１２】
従って、上記の構成によれば、発光部の放射角度分布を変更することにより、出射する照明光の投光範囲を簡易な構成で変化させることができる照明装置を実現することができる。
【００１３】
また、本発明に係る照明装置では、前記発光部は、少なくとも、前記第１の放射角度分布で光を出射する第１の発光部分と、前記第２の放射角度分布で光を出射する第２の発光部分とを含み、前記第１の発光部分および前記第２の発光部分の一方を、選択的に発光させることが好ましい。
【００１４】
上記の構成では、発光部は、第１の放射角度分布で光を出射する第１の発光部分と、第２の放射角度分布で光を出射する第２の発光部分とを少なくとも含み、第１の発光部分および第２の発光部分の一方を選択的に発光させる。そのため、発光部から出射されるの光の放射角度分布を、第１の放射角度分布と第２の放射角度分布との間で変更することができる。
【００１５】
従って、上記の構成によれば、第１の発光部分および第２の発光部分の一方を選択的に発光させることにより、照明装置から出射される照明光の投光範囲を変化させることができる。
【００１６】
また、本発明に係る照明装置では、前記発光部は、励起光を受けて前記光である蛍光を出射する蛍光体を含み、前記第１の発光部分および前記第２の発光部分の一方に、前記励起光が選択的に照射されることが好ましい。
【００１７】
上記の構成では、発光部は、励起光を受けて蛍光を出射する蛍光体を含み、第１の発光部分および第２の発光部分の一方に励起光が選択的に照射される。そのため、励起光が照射された第１の発光部分および第２の発光部分の一方を選択的に発光させて、蛍光を出射させることができる。
【００１８】
従って、上記の構成によれば、第１の発光部分および第２の発光部分の一方に励起光を選択的に照射することにより、発光部から出射される蛍光の放射角度分布を変更することができる。
【００１９】
また、本発明に係る照明装置では、前記発光部を載置する可動式の載置部をさらに備え、前記載置部は、前記第１の発光部分および前記第２の発光部分の一方に、前記励起光が照射されるように、当該励起光に対する前記発光部の相対的な位置または角度を変化させることが好ましい。
【００２０】
上記の構成では、第１の発光部分および第２の発光部分の一方に励起光が照射されるように、当該励起光に対する発光部の相対的な位置または角度を変化させる載置部を備え、この載置部に発光部が載置されている。そのため、可動式の載置部を制御することで、第１の発光部分および第２の発光部分の一方に励起光を照射させることができる。
【００２１】
従って、上記の構成によれば、載置部を制御することにより、第１の発光部分および第２の発光部分の一方を選択的に発光させることで、発光部から出射される蛍光の放射角度分布を変更することができる。
【００２２】
また、本発明に係る照明装置では、前記励起光は、前記投光部の焦点に向けて照射されていることが好ましい。
【００２３】
上記の構成では、励起光は、投光部の焦点に向けて照射されているため、当該焦点において、第１の発光部分および第２の発光部分の一方を発光させることが可能となる。
【００２４】
従って、上記の構成によれば、第１の発光部分または第２の発光部分から出射した蛍光を、投光部によってその光路を制御して、遠くに効率よく投光することができるため、照明装置の投光特性を向上させることができる。
【００２５】
また、本発明に係る照明装置では、前記第２の発光部分は、前記第１の発光部分よりも厚みが大きい形状であることが好ましい。
【００２６】
蛍光体を含む発光部は、その形状によって、出射する蛍光の放射角度分布が変化する。通常、発光部の厚みが小さいほど蛍光の放射角度分布は狭くなり、発光部の厚みが大きいほど蛍光の放射角度分布は広くなる。そのため、第２の発光部分を、第１の発光部分よりも厚みが大きい形状に形成することにより、第２の発光部分の放射角度分布（第２の放射角度分布）を、第１の発光部分の放射角度分布（第１の放射角度分布）よりも広くすることができる。
【００２７】
従って、上記の構成によれば、発光部の厚みを部分的に変化させることで、出射する蛍光の放射角度分布を変更可能な発光部を実現することができる。
【００２８】
また、本発明に係る照明装置では、前記第１の発光部分は、前記発光部が載置される載置面に対して略平行な平板形状であり、前記第２の発光部分は、前記載置面に当接する底面に対して垂直な方向に向かって、当該底面に平行な断面積が徐々に減少する形状であることが好ましい。
【００２９】
上記の構成では、第１の発光部分は載置面に対して略平行な平板形状であり、第２の発光部分は載置面に当接する底面とに対して垂直な方向に向かって、当該底面に平行な断面積が徐々に減少する形状である。そのため、第１の発光部分の放射角度分布を制限できると共に、第２の発光部分の放射角度分布を効果的に広げることができる。
【００３０】
従って、上記の構成によれば、異なる放射角度分布で蛍光を出射する発光部を好適に実現することができる。
【００３１】
また、本発明に係る照明装置では、前記発光部は、厚みが徐々に変化する連続的な形状であり、前記連続的な形状のうち、任意の厚みを有する部分が前記第１の発光部分となり、当該任意の厚みを有する部分よりも厚みが大きい部分が前記第２の発光部分となることが好ましい。
【００３２】
上記の構成では、発光部は、厚みが徐々に変化する連続的な形状である。この場合、連続的な形状のうち、任意の厚みを有する部分が第１の発光部分として作用し、当該任意の厚みを有する部分よりも厚みが大きい部分が第２の発光部分として作用することとなる。そのため、例えば、発光部の厚みが増加する方向に沿って励起光が照射されることで、発光部から出射する蛍光の放射角度分布を徐々に広げることができる。
【００３３】
従って、上記の構成によれば、励起光が照射される発光部の厚みに応じて、発光部から多数の異なる放射角度分布で蛍光を出射させることが可能となるので、照明装置の投光範囲を所望の範囲に変化させることができる。
【００３４】
また、本発明に係る照明装置では、前記発光部は、リング形状であることが好ましい。
【００３５】
上記の構成では、発光部は、厚みが徐々に変化するリング形状である。そのため、例えば、発光部を回転させることで、リング形状の発光部のうち、厚みの異なる部分に励起光を照射することができる。
【００３６】
従って、上記の構成によれば、リング形状の発光部に対する励起光の照射位置に応じて、多数の異なる放射角度分布で蛍光を出射させることが可能となるので、照明装置の投光範囲を所望の範囲に変化させることができる。
【００３７】
また、本発明に係る照明装置では、前記励起光は、レーザ光であることが好ましい。
【００３８】
上記の構成では、励起光としてレーザ光を用いているため、発光部に含まれる蛍光体を効率的に励起することができる。
【００３９】
従って、上記の構成によれば、高輝度の照明装置を実現することができる。
【００４０】
また、励起光としてレーザ光を用いることで、励起光を小さなスポットに絞って発光部に照射することが容易となる。そのため、小さなサイズで高輝度な発光部（点光源）を実現することができるので、発光部から出射された蛍光を、小さな投光部によってその光路を精度よく制御することができる。
【００４１】
従って、上記の構成によれば、照明装置の投光特性を向上させることができる。
【００４２】
また、本発明に係る照明装置では、前記発光部は、少なくとも、前記第１の放射角度分布で光を出射する第１の発光素子と、前記第２の放射角度分布で光を出射する第２の発光素子とを含み、前記第１の発光素子および前記第２の発光素子の一方を、選択的に点灯させることが好ましい。
【００４３】
上記の構成では、発光部は、第１の放射角度分布で光を出射する第１の発光素子分と、第２の放射角度分布で光を出射する第２の発光素子とを少なくとも含み、第１の発光素子および第２の発光素子の一方を選択的に点灯させる。そのため、発光部から出射されるの光の放射角度分布を、第１の放射角度分布と第２の放射角度分布との間で変更することができる。
【００４４】
従って、上記の構成によれば、第１の発光素子および第２の発光素子の一方を選択的に点灯することにより、照明装置から出射される照明光の投光範囲を変化させることができる。
【００４５】
また、本発明に係る照明装置では、前記第１の発光素子および前記第２の発光素子を載置する可動式の載置部と、前記第１の発光素子および前記第２の発光素子の点灯を切り替える点灯切替部とをさらに備え、前記点灯切替部は、前記載置部によって前記第１の発光素子および前記第２の発光素子の一方が前記投光部の焦点に配置されたとき、当該焦点に配置された前記第１の発光素子または前記第２の発光素子を点灯させることが好ましい。
【００４６】
上記の構成では、第１の発光素子および第２の発光素子を載置する可動式の載置部と、載置部によって、第１の発光素子および第２の発光素子の一方が、投光部の焦点に配置されたとき、当該焦点に配置された第１の発光素子または第２の発光素子を点灯させる点灯切替部とをさらに備えている。そのため、投光部の焦点において、第１の発光素子および
第２の発光素子の一方を点灯させることができる。
【００４７】
従って、上記の構成によれば、第１の発光素子または第２の発光素子から出射した光を、投光部によってその光路を制御して、遠くに効率よく投光することができるため、照明装置の投光特性を向上させることができる。
【００４８】
また、本発明に係る照明装置では、前記第１の発光素子および前記第２の発光素子は、ＬＥＤであることが好ましい。
【００４９】
上記の構成によれば、第１の発光素子および第２の発光素子はＬＥＤであるため、出射する光の放射角度分布が異なる２つのＬＥＤの点灯を選択的に切り替えることで、照明装置から出射される照明光の投光範囲を変化させることができる。
【００５０】
また、本発明に係る照明装置では、前記載置部は、スライド可能または回転可能に設けられていることが好ましい。
【００５１】
上記の構成によれば、載置部は、スライド可能または回転可能に設けられているため、照明装置における、発光部の位置または角度等を容易に変化させることができる。
【００５２】
また、本発明に係る照明装置では、前記発光部は、出射する光の放射角度分布を、互いに異なる３つ以上の放射角度分布に変更可能であることが好ましい。
【００５３】
上記の構成によれば、発光部は、出射する光の放射角度分布を、互いに異なる３つ以上の放射角度分布に変更可能であるため、発光部が変更可能な放射角度分布に応じて、照明装置から出射される照明光の投光範囲を変化させることができる。
【００５４】
本発明に係る車両用前照灯は、上記の課題を解決するために、上記照明装置を備えることを特徴としている。
【００５５】
従って、上記の構成によれば、発光部の放射角度分布を変更することにより、出射する照明光の投光範囲を簡易な構成で変化させることができる車両用前照灯を実現することができる。
【００５６】
また、本発明に係る車両用前照灯では、前記照明装置を搭載する車両の速度に応じて、前記発光部から出射される光の放射角度分布を、前記第１の放射角度分布と前記第２の放射角度分布との間で変更することが好ましい。
【００５７】
上記の構成では、車両用前照灯は、車両の速度に応じて、発光部から出射される光の放射角度分布を、第１の放射角度分布と第２の放射角度分布との間で変更する。そのため、車両の速度に応じて、照明装置から出射される照明光の投光範囲を変化させることができる。
【００５８】
例えば、車両の走行速度が所定の速度以下となったとき、発光部から出射される光の放射角度分布を、第１の放射角度分布から第２の放射角度分布に変更することで、車両前方の広い範囲を車両用前照灯によって照明することがきる。一方、車両の走行速度が所定の速度を超えたとき、発光部から出射される光の放射角度分布を、第２の放射角度分布から第１の放射角度分布に変更することで、車両の前方のより狭い範囲を車両用前照灯によって照明することがきる。
【００５９】
そのため、市街地等における低速走行時には、車両の前方周辺も含めた広い範囲を照明
し、一方、高速道路等における高速走行時には、車両の前方のみを明るく照明するなどの切り替えが可能となる。
【００６０】
従って、上記の構成によれば、車両の走行速度に応じて、照明装置から出射される照明光の投光範囲を変化させることができるので、ドライバーの良好な視界を確保することが可能となり、安全な運転環境を実現することができる。
【発明の効果】
【００６１】
以上のように、本発明に係る照明装置は、光を出射する発光部と、前記発光部から出射された光を投光する投光部とを備え、前記発光部は、出射する光の放射角度分布を、少なくとも、第１の放射角度分布と、当該第１の放射角度分布よりも広い第２の放射角度分布との間で変更可能であることを特徴とする。
【００６２】
それゆえ、本発明によれば、発光部の放射角度分布を変更することにより、出射する照明光の投光範囲を簡易な構成で変化させることができる照明装置および車両用前照灯を提供することができるという効果を奏する。
【図面の簡単な説明】
【００６３】
【図１】実施形態１に係るヘッドライトの概略構成を示す断面図である。
【図２】図１に示される発光部の外観構成を示す斜視図である。
【図３】図１に示されるリフレクタの外観構成を示す斜視図である。
【図４】図１に示されるヘッドライトの上面図である。
【図５】図４に示される載置台の往復運動を実現するクランク機構の一例を示す下面図である。
【図６】図１に示されるヘッドライトの要部構成を示すブロック図である。
【図７】（ａ）は、第１の発光部分を発光させたときの蛍光の放射角度分布および投光の様子を模式的に示した斜視図であり、（ｂ）は、第２の発光部分を発光させたときの蛍光の分布および投光の様子を模式的に示した斜視図である。
【図８】（ａ）は、第１の発光部分がリフレクタの焦点に配置されたときのヘッドライトを示す上面図であり、（ｂ）は、第２の発光部分がリフレクタの焦点に配置されたときのヘッドライトを示す上面図である。
【図９】図８（ａ）および（ｂ）に示されるヘッドライトのリフレクタから投光される照明光の投光角度分布を示すグラフである。
【図１０】図８（ａ）および（ｂ）に示されるヘッドライトのリフレクタから投光される照明光の投光範囲の変化を説明するための上面図である。
【図１１】（ａ）および（ｂ）は、図２に示される発光部に関する変形例の外観構成を示す斜視図である。
【図１２】（ａ）〜（ｃ）は、図２に示される発光部に関する別の変形例を示す斜視図である。
【図１３】（ａ）〜（ｃ）は、図２に示される発光部に関するさらに別の変形例を示す斜視図である。
【図１４】（ａ）〜（ｃ）は、図２に示される発光部に関する他の変形例を示す斜視図である。
【図１５】（ａ）は、図２に示される発光部に関するさらに他の変形例を示す上面図であり、（ｂ）は、（ａ）に示されるリング形状の発光部の断面形状を示す斜視図である。
【図１６】図１５（ａ）および（ｂ）に示されるリング形状の発光部を備えるヘッドライトを示す上面図である。
【図１７】図１６に示される載置台の回転運動を実現する機構の一例を示す断面図である。
【図１８】実施形態２に係るヘッドライトの概略構成を示す断面図である。
【図１９】（ａ）は、図１８に示される第１のＬＥＤを示す断面図であり、（ｂ）は、図１８に示される第２のＬＥＤを示す断面図である。
【図２０】図１８に示されるヘッドライトの要部構成を示すブロック図である。
【図２１】（ａ）は、第１のＬＥＤがリフレクタの焦点に配置されたときのヘッドライトを示す上面図であり、（ｂ）は、第２のＬＥＤがリフレクタの焦点に配置されたときのヘッドライトを示す上面図である。
【図２２】（ａ）および（ｂ）は、ＬＥＤの放射角度分布を制御するための構成の一例を示す断面図である。
【発明を実施するための形態】
【００６４】
〔実施形態１〕
本発明の実施の一形態について図１〜図１７に基づいて説明すれば、以下のとおりである。本実施形態では、本発明に係る照明装置を備える車両用前照灯として、自動車用の走行用前照灯（ハイビーム）の配光特性基準を満たすヘッドライト（車両用前照灯）１を例に挙げて説明する。
【００６５】
なお、本発明に係る車両用前照灯は、すれ違い用前照灯（ロービーム）であってもよく、自動車以外の車両・移動物（例えば、船舶・航空機・潜水艇・ロケット等）の前照灯として実現されてもよい。
【００６６】
また、本発明に係る照明装置は、車両用前照灯以外にも、例えば、サーチライト、プロジェクター、家庭用照明器具、商業用照明装置、屋外照明装置等に適用可能である。
【００６７】
＜ヘッドライト１の構成＞
まず、本実施形態に係るヘッドライト１の概略構成について、図１〜図６を参照して説明する。本実施形態に係るヘッドライト１は、発光部４のうち、形状の異なる部分を選択的に発光させることで、ヘッドライト１から出射される照明光の投光範囲を切り替えるものである。
【００６８】
図１は、本実施形態に係るヘッドライト１の概略構成を示す断面図である。図１に示されるように、ヘッドライト１は、レーザ素子２、レンズ３、発光部４、リフレクタ（投光部）５、載置台（載置部）７、金属ベース８、および放熱フィン９を備えている。
【００６９】
（レーザ素子２）
レーザ素子２は、レーザ光（励起光）を発振する励起光源である。レーザ素子２は、１チップに１つの発光点を有するものであってもよく、１チップに複数の発光点を有するものであってもよい。レーザ素子２のレーザ光の波長は、例えば、４０５ｎｍ（青紫色）または４５０ｎｍ（青色）であるが、これらに限定されず、発光部４に含める蛍光体の種類に応じて適宜選択される。
【００７０】
このレーザ素子２は、リフレクタ５の焦点Ｐ（図３等を参照）に向けてレーザ光が照射されるように位置決めされた状態で配設されている。
【００７１】
なお、本実施形態では、レーザ素子２を２つ設けているが、レーザ素子２の数はこれに限定されず、１つだけであってもよいし、３個以上設けてもよい。ただし、高出力のレーザ光を得るためには、複数のレーザ素子２を用いる方が容易である。この場合、複数のレーザ素子２のそれぞれからレーザ光が発振される。
【００７２】
また、励起光源として、レーザ素子２の代わりに、発光ダイオード（ＬＥＤ）等を用いることも可能である。
【００７３】
（レンズ３）
レンズ３は、レーザ素子２から発振されたレーザ光が、発光部４に適切に照射されるように、レーザ光の照射範囲を調節（例えば、拡大）するためのものである。具体的には、レンズ３は、発光部４に含まれる、第１の発光部分４ａまたは第２の発光部分４ｂにレーザ光が適切に照射されるようにレーザ光の照射範囲を調節する。このレンズ３は、レーザ素子２のそれぞれに配設されている。
【００７４】
（発光部４）
発光部４は、異なる放射角度分布で蛍光（光）を出射するものである。発光部４は、レーザ素子２から発振されたレーザ光を受けて蛍光を発する蛍光体を含んでいる。発光部４は、例えば、封止材の内部に蛍光体が分散されたもの、または蛍光体を固めたものである。発光部４は、レーザ光を蛍光に変換するための波長変換素子である。
【００７５】
図２は、図１に示される発光部４の外観構成を示す斜視図である。図２に示されるように、発光部４は、第１の発光部分４ａおよび第２の発光部分４ｂを含んでいる。
【００７６】
第１の発光部分４ａは、載置台７の載置面に対して略平行な平板形状の発光部材である。第１の発光部分４ａは、リフレクタ５の焦点Ｐを通り、投光の主たる方向へ延びる仮想的な軸（以下、投光軸と称する）に対して、対向する２つの長辺が略平行となる向きで、載置台７に載置されている。第１の発光部分４ａは、例えば、長辺２ｍｍ×短辺１ｍｍ×厚さ０．１ｍｍの長方形の平板形状に形成される。
【００７７】
第２の発光部分４ｂは、第１の発光部分４ａよりも厚みが大きな立体形状の発光部材である。この第２の発光部分４ｂは、投光軸に対して垂直な断面が、両端部よりも中心部のほうが高い（厚みが大きい）形状となるように形成されている。本実施形態では、第２の発光部分４ｂは、半円柱形状に形成されており、円周面の回転軸が投光軸に対して略平行となる向きで、第１の発光部分４ａに載置されている。この第２の発光部分４ｂは、例えば、半径０．５ｍｍ×長さ１ｍｍの半円柱形状であり、第１の発光部分４ａの一方の短辺側に偏在して、第１の発光部分４ａに載置される。本実施形態では、第２の発光部分４ｂは、リフレクタ５の開口部５ａ側に偏在した状態で、第１の発光部分４ａに載置されている。なお、第１の発光部分４ａと第２の発光部分４ｂとの配置関係は、特に限定されない。例えば、第２の発光部分４ｂは、リフレクタ５の閉口部（底部）側に偏在した状態で、第１の発光部分４ａに載置されていてもよい。
【００７８】
ここで、第１の発光部分４ａおよび第２の発光部分４ｂは、その形状の違いから、出射する蛍光の放射角度分布が異なっている。蛍光体を含む発光部４の表面から出射される蛍光は、その表面の任意の位置からランベルトの余弦則に従って出射されるため、表面が平坦な第１の発光部分４ａよりも、表面が湾曲した第２の発光部分４ｂのほうが全体としての放射角度分布は広くなる。そのため、円柱形状の第２の発光部分４ｂの放射角度分布（第２の放射角度分布）は、平板形状の第１の発光部分４ａの放射角度分布（第１の放射角度分布）に比べて広くなっている。
【００７９】
このように、発光部４は、放射角度分布の異なる第１の発光部分４ａおよび第２の発光部分４ｂを含んでいるため、第１の発光部分４ａおよび第２の発光部分４ｂの一方にレーザ光照射されることで、発光部４から異なる放射角度分布で蛍光を出射させることができる。従って、この発光部４の放射角度分布の変更に応じて、ヘッドライト１から出射される照明光（蛍光）の投光範囲を切り替えることが可能となる。なお、ヘッドライト１における投光範囲の切り替え原理については後述する。
【００８０】
この発光部４に含まれる蛍光体として、例えば、酸窒化物蛍光体（例えば、サイアロン蛍光体）、窒化物蛍光体（例えば、ＣＡＳＮ（ＣａＡｌＳｉＮ３）蛍光体）またはＩＩＩ−Ｖ族化合物半導体ナノ粒子蛍光体（例えば、インジュウムリン：ＩｎＰ）を用いることができる。ただし、発光部４に含まれる蛍光体は、上述のものに限定されず、その他の蛍光体であってもよい。
【００８１】
また、ヘッドライト１の照明光が所望の範囲の色度を有するように、蛍光体の種類とレーザ光の波長とを選択してもよい。例えば、青色、緑色および赤色の蛍光体を発光部４に含め、４０５ｎｍのレーザ光を照射すると白色光を生成することができる。または、黄色の蛍光体（または緑色および赤色の蛍光体）を発光部４に含め、４５０ｎｍ（青色）のレーザ光（または、４４０ｎｍ以上４９０ｎｍ以下の波長範囲にピーク波長を有する、いわゆる青色近傍のレーザ光）を照射することで白色光を生成することができる。
【００８２】
発光部４の封止材は、例えば、ガラス材（無機ガラス、有機無機ハイブリッドガラス）、シリコーン樹脂等の樹脂材料である。ガラス材として低融点ガラスを用いてもよい。封止材は、透明性の高いものが好ましく、レーザ光が高出力の場合には、耐熱性の高いものが好ましい。
（リフレクタ５）
リフレクタ５は、発光部４から出射された蛍光を反射面で反射し、所定の立体角内を進む光線束（照明光）を形成するハーフパラボラミラーである。このリフレクタ５は、例えば、金属薄膜がその表面に形成された樹脂部材であってもよいし、金属製の部材であってもよい。
【００８３】
図３は、図１に示されるリフレクタ５の外観構成を示す斜視図である。図３に示されるように、リフレクタ５は、半円形状の開口部５ａを有している。リフレクタ５は、例えば、開口部５ａの半径１５ｍｍ、奥行き１５ｍｍに形成される。
【００８４】
リフレクタ５は、放物線の対称軸を回転軸として当該放物線を回転させることによって形成される回転放物面（パラボラ）を、上記回転軸を含む平面で切断することによって得られる部分曲面の少なくとも一部を反射面として有している。これにより、発光部４から出射された蛍光を所定の立体角内に効率的に投光することができ、その結果、蛍光の利用効率を高めることができる。
【００８５】
このリフレクタ５の焦点Ｐの位置には、投光軸に沿ってスライド可能なように取り付けられた載置台７が配設されている。
【００８６】
また、リフレクタ５には、レーザ光を透過または通過させる窓部６が形成されており、レーザ素子２は、リフレクタ５の外部に配置されている。この窓部６は、開口部であってもよく、レーザ光を透過可能な透明部材を含むものであってもよい。
【００８７】
例えば、レーザ光を透過し、白色光（発光部４の蛍光）を反射するフィルターを窓部６として設けてもよい。これにより、発光部４から出射された蛍光が窓部６から漏れることを防止することができる。
【００８８】
このように、リフレクタ５に窓部６を設けることにより、リフレクタ５の外部から、窓部６を通して発光部４にレーザ光を照射できる。そのため、レーザ素子２の配置の自由度を高めることができる。例えば、発光部４に対するレーザ光の照射角度を好ましい角度に設定することが容易になる。
【００８９】
なお、窓部６は、複数のレーザ素子２に共通のものが１つ設けられていてもよく、各レ
ーザ素子２に対応した複数の窓部６が設けられていてもよい。
【００９０】
また、本実施形態では、リフレクタ５として、パラボラを、回転軸を含む平面で切断することによって得られる部分曲面であるハーフパラボラ形状のものを用いたが、リフレクタ５の形状はこれに限定されない。例えば、リフレクタ５の形状は、パラボラであってもよく、回転楕円面の一部の部分曲面であってもよい。すなわち、リフレクタ５は、回転軸を中心として図形（楕円、円、放物線）を回転させることによって形成される曲面の少なくとも一部をその反射面に含んでいるものであればよい。また、リフレクタ５は、自由曲面やマルチファセットミラーであってもよい。
【００９１】
（載置台７）
載置台７は、発光部４を載置するものであり、例えば、金属（例えば、アルミニウム、銅や鉄）等からなっている。そのため、載置台７は熱伝導性が高く、発光部４で発生した熱を効率的に受け取ることができる。
【００９２】
なお、発光部４を載置する載置台７は、金属からなるものに限定されず、金属以外の熱伝導性が高い物質（ガラス、サファイア等）を含む部材でもよい。ただし、発光部４と当接する載置台７の表面は、反射面として機能することが好ましい。発光部４と当接する載置台７の表面が反射面であることにより、発光部４に入射したレーザ光が蛍光に変換された後に、当該反射面で反射させてリフレクタ５へ向かわせることができる。または、発光部４に入射したレーザ光を反射面で反射させて、再度発光部４の内部に向かわせて蛍光に変換することができる。
【００９３】
図４は、図１に示されるヘッドライト１の上面図である。図４に示されるように、載置台７は、金属ベース８に形成された凹部８ａ内に設けられている。この載置台７は、リフレクタ５の焦点Ｐおいて、投光軸の方向（図中矢印の方向）に沿ってスライド可能なように金属ベース８に取り付けられている。そのため、載置台７を制御することによって、第１の発光部分４ａおよび第２の発光部分４ｂの一方を、リフレクタ５の焦点Ｐに配置することができる。
【００９４】
上述のように、レーザ素子２は、リフレクタ５の焦点Ｐに向けてレーザ光が照射されるように位置決めされた状態で配設されている。そのため、載置台７を制御して、第１の発光部分４ａおよび第２の発光部分４ｂの一方を、リフレクタ５の焦点Ｐに配置することで、焦点Ｐにおいて、第１の発光部分４ａおよび第２の発光部分４ｂの一方を選択的に発光させることができる。従って、第１の発光部分４ａまたは第２の発光部分４ｂから出射された放射角度分布の異なる蛍光を、リフレクタ５によってその光路を制御して、遠くに効率よく投光することができるので、ヘッドライト１の投光特性を向上させることができる。
【００９５】
図５は、図４に示される載置台７の往復運動を実現するクランク機構７０の一例を示す下面図である。図５に示されるように、クランク機構７０は、クランク・ディスク７１と、連接棒７２とを備える。
【００９６】
クランク・ディスク７１は、モータ（図示省略）に接続されており、モータの回転動作を受けて図中矢印の方向に回転する。このクランク・ディスク７１の回転運動は、載置台駆動部１１（図６を参照）によって制御されている。そして、このクランク・ディスク７１の回転運動が、連接棒７２を介して、載置台７に伝達される。このとき、クランク・ディスク７１の回転運動は、往復運動として載置台７に伝達される。そのため、載置台７は、クランク・ディスク７１の回転運動に応じて、投光軸の方向に沿ってスライドすることができる。
【００９７】
なお、載置台７は、載置台７が取り付けられる金属ベース８と同じ材料であることが好ましい。これにより、異なる種類の金属材料が電気的に接触することで発生する異種金属間の接触腐食を防ぐことができる。
【００９８】
また、載置台７がスライドする方向は特に限定されず、例えば、投光軸に対して垂直な方向、または斜め方向に沿ってスライド可能なように、金属ベース８に取り付けられていてもよい。ただし、この場合であっても、第２の発光部分４ｂは、その円周面の回転軸が投光軸に対して略平行となる向きでリフレクタ５の焦点に配置されるように、載置台７（第１の発光部分４ａ）に載置されていることが好ましい。これにより、後述のように、投光軸に対して垂直な水平方向に対する第２の発光部分４ｂの放射角度分布を効果的に広げることができる。
【００９９】
（金属ベース８）
金属ベース８は、載置台７を支持する板状の支持部材であり、金属（例えば、アルミニウム、銅や鉄）等からなっている。それゆえ、金属ベース８は熱伝導性が高く、発光部４で発生した熱を載置台７を介して受け取って、効率的に放熱することができる。
【０１００】
なお、金属ベース８は、金属以外の熱伝導性が高い物質（高熱伝導セラミックス等）を含む部材でもよい。
【０１０１】
（放熱フィン９）
放熱フィン９は、金属ベース８を放熱させる放熱機構として機能するものである。放熱フィン９は、載置台７および金属ベース８と同様に、熱伝導率の高い材料からなっている。この放熱フィン９は、複数の放熱板を有するものであり、大気との接触面積を増加させることにより放熱効率が高められている。
【０１０２】
図６は、図１に示されるヘッドライト１の要部構成を示すブロック図である。図６に示されるように、ヘッドライト１は、さらに、レーザ素子駆動部１０、載置台駆動部１１、および制御部１２を備えている。
【０１０３】
（レーザ素子駆動部１０）
レーザ素子駆動部１０は、レーザ素子２の駆動を制御するものである。具体的には、レーザ素子駆動部１０は、制御部１２から出力された制御信号に基づいて、レーザ素子２のＯＮ／ＯＦＦを切り替える。
【０１０４】
例えば、レーザ素子２をＯＮにする制御信号が制御部１２から出力されたとき、レーザ素子駆動部１０は、レーザ素子２への電力供給を開始して、レーザ素子２からレーザ光を発振させる。一方、レーザ素子２をＯＦＦにする制御信号が制御部１２から出力されたとき、レーザ素子駆動部１０は、レーザ素子２への電力供給を終了して、レーザ光の発振を停止させる。
【０１０５】
（載置台駆動部１１）
載置台駆動部１１は、載置台７の駆動を制御するものである。具体的には、載置台駆動部１１は、制御部１２から出力された制御信号に基づいて、クランク・ディスク７１の回転運動を制御する。
【０１０６】
例えば、載置台駆動部１１は、制御部１２から出力された制御信号に基づいて、クランク・ディスク７１を１８０度回転させることにより、載置台７を投光軸に沿ってスライドさせることで、載置台７に載置された発光部４の第１の発光部分４ａおよび第２の発光部
分４ｂの一方をリフレクタ５の焦点Ｐに配置する。
【０１０７】
（制御部１２）
制御部１２は、ヘッドライト１が備える各部を統括的に制御するものである。例えば、制御部１２は、ドライバーの入力操作等に応じてレーザ素子駆動部１０を制御することで、レーザ素子２のＯＮ／ＯＦＦを切り替える。
【０１０８】
また、制御部１２は、ドライバーの入力操作または車両の走行状態等に応じて載置台駆動部１１を制御することで、載置台７に載置された発光部４の第１の発光部分４ａおよび第２の発光部分４ｂの一方がリフレクタ５の焦点Ｐに配置されるように、載置台７をスライドさせる。これにより、制御部１２は、第１の発光部分４ａおよび第２の発光部分４ｂの一方をリフレクタ５の焦点Ｐにおいて選択的に発光させることで、ヘッドライト１の投光範囲を切り替える。
【０１０９】
＜ヘッドライト１における投光範囲の切り替え原理＞
次に、本実施形態に係るヘッドライト１における投光範囲の切り替え原理について、図７〜図１０を参照して説明する。
【０１１０】
図７（ａ）は、第１の発光部分４ａを発光させたときの蛍光の放射角度分布および投光の様子を模式的に示した斜視図であり、図７（ｂ）は、第２の発光部分４ｂを発光させたときの蛍光の放射角度分布および投光の様子を模式的に示した斜視図である。
【０１１１】
図７（ａ）に示されるように、発光部４のうち、平板形状の第１の発光部分４ａにレーザ光を照射して発光させたとき、第１の発光部分４ａから出射される蛍光の放射角度分布は相対的に狭いものとなる。一方、図７（ｂ）に示されるように、半円柱形状の第２の発光部分４ｂにレーザ光を照射して発光させたとき、第２の発光部分４ｂから出射される蛍光の放射角度分布、特に、投光軸に対して垂直な水平方向における放射角度分布が相対的に広くなる。
【０１１２】
これは、上述のように、蛍光体を含む発光部４の表面から出射される蛍光は、その表面の任意の位置からランベルトの余弦則に従って出射されるため、表面が平坦な第１の発光部分４ａよりも、表面が湾曲した第２の発光部分４ｂのほうが全体としての放射角度分布が広くなることによる。
【０１１３】
図８（ａ）は、第１の発光部分４ａがリフレクタ５の焦点Ｐに配置されたときのヘッドライト１を示す上面図であり、図８（ｂ）は、第２の発光部分４ｂがリフレクタ５の焦点Ｐに配置されたときのヘッドライト１を示す上面図である。また、図９は、図８（ａ）および（ｂ）に示されるヘッドライト１のリフレクタ５から投光される照明光の投光角度分布を示すグラフである。
【０１１４】
なお、図９における破線は、図８（ａ）に示されるように、リフレクタ５の焦点Ｐに配置された第１の発光部分４ａを発光させたときの投光角度分布を示している。また、図９における実線は、図８（ｂ）に示されるように、リフレクタ５の焦点Ｐに配置された第２の発光部分４ｂを発光させたときの投光角度分布を示している。
【０１１５】
図９に示されるように、リフレクタ５の焦点Ｐに配置された第１の発光部分４ａを発光させた場合、リフレクタ５から投光される照明光の投光角度は±５度程度であり、相対的に狭い角度でリフレクタ５から投光される。
【０１１６】
一方、リフレクタ５の焦点Ｐに配置された第２の発光部分４ｂを発光させた場合、リフ
レクタ５から投光される照明光の投光角度は±８度程度であり、リフレクタ５の焦点Ｐに配置された第１の発光部分４ａを発光させた場合に比べて、相対的に広い角度でリフレクタ５から投光される。
【０１１７】
この原理は、エタンデュ（Etendue）の保存則により説明される。エタンデュとは、光学系を通る光束の断面積と光束の空間的な広がりとを関係づける不変量あり、光源から投光系、そして投光範囲に至るまで常に保存されるものである。その値は、下記の式（１）で単純に表記することができる。
【０１１８】
Ｅ（エタンデュ）＝（光源の発光面積）×（光源の放射立体角）
ヘッドライト１では、光源の発光面積（レーザ光の広がり）とリフレクタ５の光学面積とが不変である一方で、発光部４の放射角度分布（光源の放射立体角）を可変としている。そのため、上記の式（１）に従えば、発光部４の放射角度分布に応じて、リフレクタ５から出射される投光角度を可変とすることができる。
【０１１９】
従って、発光部４のうち、第２の発光部分４ｂを発光させた場合のエタンデュは、第１の発光部分４ａを発光させた場合のエタンデュに比べて大きくなるため、より広い角度でリフレクタ５から照明光を投光することができる。
【０１２０】
なお、光源のエタンデュを変化させる他の手法としては、例えば、発光部４の発光面積を変更する(レーザ光の広がりを変更する)手法が考えられる。しかしながら、ヘッドライト１によれば、レーザ光の照射面積を一定に維持したまま、発光部４の表面形状の異なる部分に対してレーザ光を選択的に照射することでエタンデュを変化させることが可能である。そのため、より簡易な構成で、精度よくエタンデュを変化させることができる点で優れていると言える。
【０１２１】
図１０は、図８（ａ）および（ｂ）に示されるヘッドライト１のリフレクタ５から投光される照明光の投光範囲Ａ１・Ａ２の変化を説明するための上面図である。なお、図１０におけるＡ１は、図８（ａ）に示される第１の発光部分４ａがリフレクタ５の焦点Ｐに配置された状態で、第１の発光部分４ａを発光させたときの投光範囲を示している。また、図１０におけるＡ２は、図８（ｂ）に示される第２の発光部分４ｂがリフレクタ５の焦点Ｐに配置された状態で、第２の発光部分４ｂを発光させたときの投光範囲を示している。
【０１２２】
図１０に示されるように、リフレクタ５の焦点Ｐに配置された第１の発光部分４ａを発光させた場合、リフレクタ５から投光される照明光は、水平方向の幅が相対的に狭い投光範囲Ａ１に向けて投光される。そのため、車両ｃの前方のみをより遠くまで明るく照明することができる。
【０１２３】
一方、リフレクタ５の焦点Ｐに配置された第２の発光部分４ｂを発光させた場合、リフレクタ５から投光される照明光は、リフレクタ５の焦点Ｐに配置された第１の発光部分４ａを発光させた場合に比べて相対的に水平方向の幅が広い投光範囲Ａ２に向けて投光される。そのため、車両ｃの前方周辺も含めたより広い範囲を照明することができる。
【０１２４】
このように、本実施形態に係るヘッドライト１によれば、第１の発光部分４ａおよび第２の発光部分４ｂの一方を選択的に発光させることで、ヘッドライト１から出射される照明光の投光範囲を、投光範囲Ａ１と投光範囲Ａ２との間で切り替えることができる。
【０１２５】
なお、投光範囲Ａ１に比べて水平方向の幅が広い投光範囲Ａ２に向けて照明光を投光した場合、照明光の投光距離(到達距離)は短くなる。そのため、照明光の投光距離を同程度とするために、より水平方向の幅が広い範囲に向けて照明光を投光する場合には、レーザ
素子２の出力を上げるなどの制御を行うことで、第２の発光部分４ｂに照射されるレーザ光の光束を増加させてもよい。
【０１２６】
＜ヘッドライト１における投光範囲の切り替え制御＞
次に、ヘッドライト１における投光範囲の切り替え制御の一例について説明する。ここでは、車両ｃの走行速度に応じて、照明光の投光範囲を切り替える制御について説明する。
【０１２７】
例えば、車両ｃの走行速度が所定の速度を超えたとき、制御部１２は、載置台駆動部１１を制御して、リフレクタ５の焦点Ｐに第１の発光部分４ａが配置されるように、載置台７をスライドさせる。これにより、第２の発光部分４ｂに代えて第１の発光部分４ａをリフレクタ５の焦点Ｐにおいて発光させることで、照明光の投光範囲を、投光範囲Ａ２から投光範囲Ａ１に切り替えることができる。
【０１２８】
一方、車両ｃの走行速度が所定の速度以下となったとき、制御部１２は、載置台駆動部１１を制御して、リフレクタ５の焦点Ｐに第２の発光部分４ｂが配置されるように、載置台７をスライドさせる。これにより、第１の発光部分４ａに代えて第２の発光部分４ｂをリフレクタ５の焦点Ｐにおいて発光させることで、ヘッドライト１の照明光の投光範囲を、投光範囲Ａ１から投光範囲Ａ２に切り替えることができる。
【０１２９】
従って、例えば、高速道路等における高速走行時には、第１の発光部分４ａを発光させて、車両ｃの前方の狭い範囲（投光範囲Ａ１）を明るく照明し、市街地等における低速走行時には、第２の発光部分４ｂを発光させて、車両ｃの前方周辺も含めたより広い範囲（投光範囲Ａ２）を照明するなどの切り替えが可能となる。
【０１３０】
このように、ヘッドライト１によれば、車両ｃの走行速度に応じて、照明光の投光範囲を、投光範囲Ａ１と投光範囲Ａ２との間で切り替えることができる。そのため、ドライバーの良好な視界を確保することが可能となるので、安全な運転環境を実現することができる。
【０１３１】
＜実施形態１の総括＞
以上のように、本実施形態に係るヘッドライト１は、蛍光を出射する発光部４と、発光部４から出射された蛍光を投光するリフレクタ５とを備え、発光部４は、少なくとも、第１の放射角度分布で蛍光を出射する第１の発光部分４ａと、第１の放射角度分布よりも広い第２の放射角度分布で蛍光を出射する第２の発光部分４ｂとを含んでいる。
【０１３２】
そのため、第１の発光部分４ａおよび第２の発光部分４ｂの一方に励起光を照射して選択的に発光させることにより、発光部４から出射される蛍光の放射角度分布を変更することができる。
【０１３３】
従って、本実施形態によれば、発光部４の放射角度分布を変更することにより、出射する照明光の投光範囲を、投光範囲Ａ１と投光範囲Ａ２との間で容易に切り替えることができるヘッドライト１を実現することができる。
【０１３４】
＜変形例＞
次に、本実施形態に係るヘッドライト１の変形例について、図１１〜図１７を参照して説明する。
【０１３５】
（変形例１）
図１１（ａ）および（ｂ）は、図２に示される発光部４に関する変形例を示す斜視図で
ある。第２の発光部分４ｂは、半円柱形状に限られず、他の立体形状であってもよい。
【０１３６】
例えば、図１１（ａ）に示されるように、第２の発光部分４ｂは、投光軸に沿って横設された三角柱形状であってもよい。また、図１１（ｂ）に示されるように、第２の発光部分４ｂは、投光軸に沿って横設された台形柱形状であってもよい。
【０１３７】
この場合、第２の発光部分４ｂは、第１の発光部分４ａに当接する底面と垂直な方向に向かって、該底面に平行な断面積が徐々に減少するように対向した１組の傾斜面を有するように、第１の発光部分４ａに載置される。そのため、第２の発光部分４ｂによれば、１組の傾斜面から蛍光が出射されるため、第１の発光部分４ａに比べて、投光軸と垂直な水平方向への放射角度分布を効果的に広げることができる。
【０１３８】
（変形例２）
図１２（ａ）〜（ｃ）は、図２に示される発光部４に関する別の変形例を示す斜視図である。図１２（ａ）〜（ｃ）に示されるように、発光部４の第１の発光部分４ａおよび第２の発光部分４ｂは連結されず、互いに分離された状態で載置台７に載置されていてもよい。
【０１３９】
例えば、図１２（ａ）に示されるように、平板形状の第１の発光部分４ａと、半円柱形状の第２の発光部分４ｂとが、互いに分離された状態で載置台７に載置されていてもよい。また、図１２（ｂ）に示されるように、平板形状の第１の発光部分４ａと、三角柱形状の第２の発光部分４ｂとが、互いに分離された状態で載置台７にそれぞれ載置されていてもよい。さらに、図１２（ｃ）に示されるように、平板形状の第１の発光部分４ａと、半円柱形状の第２の発光部分４ｂとが、互いに分離された状態で載置台７にそれぞれ載置されていてもよい。
【０１４０】
なお、この場合、第１の発光部分４ａは、例えば、縦辺１ｍｍ×横辺１ｍｍ×厚さ０．１ｍｍの正方形の平板形状に形成される。
【０１４１】
（変形例３）
図１３（ａ）〜（ｃ）は、図２に示される発光部４に関するさらに別の変形例を示す斜視図である。図１３（ａ）〜（ｃ）に示されるように、発光部４は、第１の発光部分４ａおよび第２の発光部分４ｂに加えて、さらに第３の発光部分４ｃを含む形状であってもよい。
【０１４２】
例えば、図１３（ａ）に示されるように、発光部４は、平板形状の第１の発光部分４ａと、半円柱形状の第２の発光部分４ｂと、第２の発光部分４ｂよりも厚みが大きい半円柱形状の第３の発光部分４ｃとを含む形状であってもよい。また、図１３（ｂ）に示されるように、発光部４は、平板形状の第１の発光部分４ａと、三角柱形状の第２の発光部分４ｂと、第２の発光部分４ｂよりも厚みが大きい三角柱形状の第３の発光部分４ｃとを含む形状であってもよい。さらに、図１３（ｃ）に示されるように、発光部４は、平板形状の第１の発光部分４ａと、台形柱形状の第２の発光部分４ｂと、第２の発光部分４ｂよりも厚みが大きい台形柱形状の第３の発光部分４ｃとを含む形状であってもよい。
【０１４３】
このような形状の発光部４を用いれば、第１の発光部分４ａ、第２の発光部分４ｂおよび第３の発光部分４ｃのいずれかを選択的に発光させることにより、３つの異なる放射角度分布で発光部４から蛍光を出射させることができる。そのため、ヘッドライト１から投光される照明の投光範囲を、３段階に切り替えることができる。
【０１４４】
なお、発光部４は、出射する光の放射角度分布を、互いに異なる４つ以上の放射角度分
布に変更可能な形状であってもよい。
（変形例４）
図１４（ａ）〜（ｃ）は、図２に示される発光部４に関する他の変形例を示す斜視図である。図１４（ａ）〜（ｃ）に示されるように、発光部４は、厚みが徐々に変化する連続的な形状であってもよい。
【０１４５】
例えば、図１４（ａ）に示されるように、発光部４は、互いに対向する２つの端面のうち、一方の端面が平坦形状であり、他方の端面が半円形状であって、一方の端面から他方の端面に向かって徐々に厚みが増加する連続的な形状であってもよい。また、図１４（ｂ）に示されるように、発光部４は、互いに対向する２つの端面のうち、一方の端面が平坦形状であり、他方の端面が三角形状であって、一方の端面から他方の端面に向かって徐々に厚みが増加する連続的な形状であってもよい。さらに、図１４（ｃ）に示されるように、発光部４は、互いに対向する２つの端面のうち、一方の端面が平坦形状であり、他方の端面が台形形状であって、一方の端面から他方の端面に向かって徐々に厚みが増加する連続的な形状であってもよい。
【０１４６】
このような形状の発光部４を用いれば、連続的な形状の発光部４のうち、任意の厚みを有する部分（第１の発光部分４ａ）および当該任意の厚みを有する部分よりも厚みが大きい部分（第２の発光部分４ｂ）を選択的に発光させることで、リフレクタ５から投光される照明光の投光範囲を連続的に変化させることができる。
【０１４７】
また、発光部４は連続的に厚みが徐々に変化する形状であるため、発光させる発光部４の厚みに応じて、出射される蛍光の放射角度分布が変更される。従って、発光部４に対するレーザ光の照射位置を制御することで、ヘッドライト１の投光範囲を所望の範囲に変化させることができる。
【０１４８】
このように、厚みが徐々に変化する連続的な形状に形成された、蛍光体を含む発光部４を用いた場合、この発光部４の厚みの異なる部分を励起することで、リフレクタ５から投光される照明光の投光範囲を連続的に変化させることができる。
【０１４９】
そのため、本変形例は、ヘッドライト１の投光範囲などの特性を連続的に変化させることができる点において優れている。
【０１５０】
（変形例５）
図１５（ａ）は、図２に示される発光部４に関するさらに他の変形例を示す上面図であり、（ｂ）は、（ａ）に示されるリング形状の発光部４の断面形状を示す斜視図である。図１５（ａ）および（ｂ）に示されるように、発光部４は、厚みが徐々に変化するリング形状であってもよい。
【０１５１】
このようなリング形状の発光部４を用いれば、発光部４のうち、任意の厚みを有する部分（第１の発光部分４ａ）および当該任意の厚みを有する部分に比べて厚みが大きい部分（第２の発光部分４ｂ）を選択的に発光させることで、リフレクタ５から投光される照明光の投光範囲を切り替えることができる。
【０１５２】
図１６は、図１５（ａ）および（ｂ）に示されるリング形状の発光部４を備えるヘッドライト１ａを示す上面図である。図１６に示されるように、リング形状の発光部４は、リフレクタ５の焦点Ｐを含むように円板形状の載置台７に載置される。この円板形状の載置台７は、モータ（図１７を参照）に接続されており、モータの回転動作を受けて図中矢印の方向に回転（変位）する。
【０１５３】
図１７は、図１６に示される円板形状の載置台７の回転運動を実現する機構の一例を示す断面図である。図１７に示されるように、ヘッドライト１ａでは、金属ベース８に上部に形成された凹部８ａ内に、円板形状の載置台７が取り付けられている。また、円板形状の載置台７には、同心円状にリング形状の発光部４が載置されている。
【０１５４】
金属ベース８の下方にはモータ３０が配設されており、このモータ３０は、シャフトを介して円板形状の載置台７に接続されている。そのため、モータ３０の駆動を制御することで、図１７の矢印の方向に、円板形状の載置台７を回転させるができる。
【０１５５】
そのため、ヘッドライト１ａによれば、リフレクタ５の焦点Ｐに、リング形状の発光部４のうち、厚みの異なる部分が位置するように円板形状の載置台７の回転運動を制御して厚みの異なる部分を選択的に発光させることで、ヘッドライト１ａから出射される照明光の投光範囲を所望の範囲に変化させることができる。
【０１５６】
〔実施形態２〕
本発明の他の実施の一形態について図１８〜図２２に基づいて説明すれば、以下のとおりである。なお、実施形態１と同様の部材に関しては、同じ符号を付し、その説明を省略する。
＜ヘッドライト１０１の構成＞
まず、本実施形態に係るヘッドライト１０１の概略構成について、図１８〜図２０を参照して説明する。本実施形態に係るヘッドライト１０１は、第１のＬＥＤ（第１の発光素子）１０４ａおよび第２のＬＥＤ（第２の発光素子）１０４ｂを含んでいる点において、実施形態１に係るヘッドライト１と主に異なっている。
【０１５７】
図１８は、実施形態１に係るヘッドライト１０１の概略構成を示す断面図である。図１８に示されるように、ヘッドライト１は、発光部１０４、リフレクタ５、載置台７、金属ベース８、および放熱フィン９を備えている。
【０１５８】
（発光部１０４）
発光部１０４は、異なる放射角度分布で蛍光を含む照明光を出射するものである。発光部１０４は、所定の放射角度分布（第１の放射角度分布）で蛍光を含む照明光を出射する第１のＬＥＤ１０４ａと、第１のＬＥＤ１０４ａよりも広い放射角度分布（第２の放射角度分布）で蛍光を含む照明光を出射する第２のＬＥＤ１０４ｂとを含み、それぞれが載置台７に載置されている。
【０１５９】
図１９（ａ）は、図１８に示される第１のＬＥＤ１０４ａを示す断面図であり、図１９（ｂ）は、図１８に示される第２のＬＥＤ１０４ｂを示す断面図である。
【０１６０】
図１９（ａ）に示されるように、第１のＬＥＤ１０４ａは、ＬＥＤチップ１０５、封止材１０６、蛍光体１０８、ケースボディ１０９、ケース電極１１１ａ、ケース電極１１１ｂ、およびヒートシンク１１３を備えている。
【０１６１】
第１のＬＥＤ１０４ａでは、ＬＥＤチップ１０５の周囲に蛍光体１０８が散在されている。ＬＥＤチップ１０５および蛍光体１０８は、ケースボディ１０９内に封止材１０６によって封止されている。蛍光体１０８および封止材１０６の材料は、実施形態１で説明した発光部４を構成する蛍光体および封止材の材料と同様のものでよく、特に限定されない。
【０１６２】
ＬＥＤチップ１０５は、金属（アルミニウム、銅や鉄）等の熱伝導性の高い材料からなるヒートシンク１１３に載置されている。また、ＬＥＤチップ１０５は、アノード電極（
陽極）であるケース電極１１１ａおよびカソード電極（陰極）であるケース電極１１１ｂに配線を介して電気的に接続されており、これらの電極から電力が供給される。
【０１６３】
第１のＬＥＤ１０４ａでは、ＬＥＤチップ１０５から出射した励起光が蛍光体１０８に照射されることによって、蛍光体１０８から蛍光が発せられ、その蛍光を含む照明光が第１のＬＥＤ１０４ａの上面から出射される。
【０１６４】
ここで、第１のＬＥＤ１０４ａは、封止材１０６の表面（上面）形状が平坦に形成されており、この平坦な上面から蛍光を含む照明光が出射される。そのため、第１のＬＥＤ１０４ａでは、水平方向への蛍光を含む照明光の出射が制限されるので、放射角度分布が相対的に狭くなる。
【０１６５】
一方、第２のＬＥＤ１０４ｂは、第１のＬＥＤ１０４ａよりも出射する蛍光を含む照明光の放射角度分布が広くなるように、封止材１０７の表面形状が円周面に形成されている点において、第１のＬＥＤ１０４ａと異なっている。第２のＬＥＤ１０４ｂは、この円周面から蛍光を含む照明光が出射されるため、第１の発光部分４ａに比べて、水平方向に広がった放射角度分布となる。
【０１６６】
この第２のＬＥＤ１０４ｂは、円周面の回転軸が投光軸に対して略平行となる向きで、載置台７に載置されている。
【０１６７】
このように、発光部１０４は、互いに放射角度分布の異なる、第１のＬＥＤ１０４ａおよび第２のＬＥＤ１０４ｂを含んでいる。そのため、第１の発光ＬＥＤ１０４ａおよび第２のＬＥＤ１０４ｂの一方を選択的に発光させることにより、発光部１０４から異なる放射角度分布で蛍光を含む照明光を出射することができる。
【０１６８】
図２０は、図１８に示されるヘッドライト１０１の要部構成を示すブロック図である。図２０に示されるように、ヘッドライト１０１は、さらに、ＬＥＤ駆動部１１０、載置台駆動部１１、および制御部１１２を備えている。
【０１６９】
（ＬＥＤ駆動部１１０）
ＬＥＤ駆動部１１０は、第１のＬＥＤ１０４ａおよび第２のＬＥＤ１０４ｂの駆動を個別に制御するものである。具体的には、ＬＥＤ駆動部１１０は、制御部１１２から出力された制御信号に基づいて、第１のＬＥＤ１０４ａおよび第２のＬＥＤ１０４ｂの点灯／消灯を選択的に切り替える。
【０１７０】
（制御部１１２）
制御部１１２は、ヘッドライト１０１が備える各部を統括的に制御するものである。例えば、制御部１１２は、ドライバーの入力操作または車両の走行状態等に応じて載置台駆動部１１を制御することで、載置台７に載置された第１のＬＥＤ１０４ａおよび第２のＬＥＤ１０４ｂの一方が、リフレクタ５の焦点Ｐに配置されるように、載置台７をスライドさせる。また、制御部１１２は、ＬＥＤ駆動部１１０を制御することで、リフレクタ５の焦点Ｐに配置された、第１のＬＥＤ１０４ａおよび第２のＬＥＤ１０４ｂの一方を点灯させる。
【０１７１】
これにより、制御部１１２は、第１のＬＥＤ１０４ａおよび第２のＬＥＤ１０４ｂの一方をリフレクタ５の焦点Ｐにおいて選択的に発光させることで、ヘッドライト１０１の投光範囲を切り替える。
【０１７２】
＜ヘッドライト１０１における投光範囲の切り替え制御＞
次に、ヘッドライト１０１における投光範囲の切り替え制御の一例について、図２１を参照して説明する。ここでは、車両ｃ（図１０を参照）の走行速度に応じて、照明光の投光範囲を切り替える制御について説明する。
【０１７３】
図２１（ａ）は、第１のＬＥＤ１０４ａがリフレクタ５の焦点Ｐに配置されたときのヘッドライト１０１を示す上面図であり、図２１（ｂ）は、第２のＬＥＤ１０４ｂがリフレクタ５の焦点Ｐに配置されたときのヘッドライト１０１を示す上面図である。
【０１７４】
制御部１１２は、車両ｃの走行速度に応じて、照明光の投光範囲を、投光範囲Ａ１と投光範囲Ａ２との間で切り替える。例えば、車両ｃの走行速度が所定の速度を超えたとき、制御部１１２は、載置台駆動部１１を制御して、図２１（ａ）に示されるように、リフレクタ５の焦点Ｐに第１のＬＥＤ１０４ａが配置されるように、載置台７をスライドさせる。また、制御部１１２は、ＬＥＤ駆動部１１０を制御することで、第２のＬＥＤ１０４ｂを消灯させると共に、リフレクタ５の焦点Ｐに配置された第１のＬＥＤ１０４ａを点灯させる。これにより、第２の発光ＬＥＤ１０４ｂに代えて第１のＬＥＤ１０４ａをリフレクタ５の焦点Ｐにおいて点灯させることで、ヘッドライト１０１の照明光の投光範囲を、投光範囲Ａ２から投光範囲Ａ１に切り替えることができる。
【０１７５】
一方、車両ｃの走行速度が所定の速度以下となったとき、制御部１１２は、載置台駆動部１１を制御して、図２１（ｂ）に示されるように、リフレクタ５の焦点Ｐに第２のＬＥＤ１０４ｂが配置されるように、載置台７をスライドさせる。また、制御部１１２は、ＬＥＤ駆動部１１０を制御することで、第１のＬＥＤ１０４ａを消灯させると共に、リフレクタ５の焦点Ｐに配置された第２のＬＥＤ１０４ｂを点灯させる。これにより、第１のＬＥＤ１０４ａに代えて第２のＬＥＤ１０４ｂをリフレクタ５の焦点Ｐにおいて点灯させることで、照明光の投光範囲を、投光範囲Ａ１から投光範囲Ａ２に切り替えることができる。
【０１７６】
従って、例えば、高速道路等における高速走行時には、第１のＬＥＤ１０４ａを点灯させて、車両ｃの前方の狭い範囲（投光範囲Ａ１）を明るく照明し、市街地等における低速走行時には、第２のＬＥＤ１０４ｂを点灯させて、車両ｃの前方周辺も含めた広い範囲（投光範囲Ａ２）を照明するなどの切り替えが可能となる。
【０１７７】
このように、ヘッドライト１０１によれば、車両ｃの走行速度に応じて、照明光の投光範囲を、投光範囲Ａ１と投光範囲Ａ２との間で切り替えることができる。そのため、ドライバーの良好な視界を確保することが可能となるので、安全な運転環境を実現することができる。
【０１７８】
＜実施形態２の総括＞
以上のように、本実施形態に係るヘッドライト１０１は、蛍光を含む照明光を出射する発光部１０４と、発光部１０４から出射された蛍光を含む照明光を投光するリフレクタ５とを備え、発光部１０４は、少なくとも、第１の放射角度分布で蛍光を含む照明光を出射する第１のＬＥＤ１０４ａと、第１の放射角度分布よりも広い第２の放射角度分布で蛍光を含む照明光を出射する第２のＬＥＤ１０４ｂとを含んでいる。
【０１７９】
そのため、第１のＬＥＤ１０４ａおよび第２のＬＥＤ１０４ｂを選択的に点灯させることにより、発光部１０４から出射される蛍光を含む照明光の放射角度分布を変更することができる。
【０１８０】
従って、本実施形態によれば、発光部１０４の放射角度分布を変更することにより、出射する照明光の投光範囲を、投光範囲Ａ１と投光範囲Ａ２との間で容易に切り替えること
ができるヘッドライト１０１を実現することができる。
【０１８１】
＜変形例＞
次に、本実施形態に係るヘッドライト１０１の変形例について、図２２を参照して説明する。
【０１８２】
図２２（ａ）および（ｂ）は、ＬＥＤの放射角度分布を制御するための構成の一例を示す断面図である。図２２（ａ）および（ｂ）に示されるように、図１９（ａ）に示される第１のＬＥＤ１０４ａの平坦に形成された封止材１０６の上面に、透明または半透明のモールドを形成し、このモールドによるレンズ効果を利用することで放射角度分布を制御することができる。
【０１８３】
例えば、図２２（ａ）に示されるＬＥＤ２０４ａのように、表面形状が平坦に近いモールド２０６を形成した場合、出射される蛍光を含む照明光の放射角度分布はランベルト分布に近づく。一方、図２２（ｂ）に示されるＬＥＤ２０４ｂのように、半円柱形状のモールド２０７を形成した場合、モールド２０７のレンズ効果によって、出射される蛍光を含む照明光の放射角度分布をランベルト分布よりも狭くすることができる。
【０１８４】
このように、透明または半透明のモールドの形状を異なる形状に形成することで、ＬＥＤから出射される蛍光を含む照明光の放射角度分布を変更することができる。
【０１８５】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８６】
〔補足〕
なお、本発明は、以下のように表現することもできる。すなわち、本発明に係る照明装置は、蛍光部材と、蛍光部材を励起する励起光源と、蛍光を投光する投光部材とを有する照明装置であり、蛍光部材における表面形状の異なる部分を任意に選択して励起することを特徴としている。
【０１８７】
また、本発明に係る照明装置では、励起光源は投光部材の焦点を含む領域を照射することを特徴としている。
【０１８８】
また、本発明に係る照明装置では、蛍光部材がスライドすることを特徴としている。
【０１８９】
また、本発明に係る照明装置では、リング状の蛍光部材が回転することを特徴としている。
【０１９０】
また、本発明に係る照明装置では、蛍光部材の表面の平坦部分と、傾斜部を有する部分とを選択して励起することにより、投光の広がりを制御することを特徴としている。
【０１９１】
また、本発明に係る照明装置では、励起光源は特にレーザであることを特徴としている。
【産業上の利用可能性】
【０１９２】
本発明は、車両用前照灯、車両以外の移動物体の照明装置や、サーチライト、プロジェクター等、様々な照明装置として利用できる。
【符号の説明】
【０１９３】
１    ヘッドライト（照明装置・車両用前照灯）
１ａ  ヘッドライト（照明装置・車両用前照灯）
２    レーザ素子
４    発光部
４ａ  第１の発光部分
４ｂ  第２の発光部分
４ｃ  第３の発光部分
５    リフレクタ（投光部）
７    載置台（載置部）
１０１    ヘッドライト（照明装置・車両用前照灯）
１０４    発光部
１０４ａ  第１のＬＥＤ（第１の発光素子）
１０４ｂ  第２のＬＥＤ（第２の発光素子）
１１０    ＬＥＤ駆動部（点灯切替部）
２０４ａ  ＬＥＤ（第１の発光素子）
２０４ｂ  ＬＥＤ（第１の発光素子）
Ｐ    焦点
Ａ１  投光範囲
Ａ２  投光範囲
【図１】
0006022176.tif 000002
【図２】
0006022176.tif 000003
【図３】
0006022176.tif 000004
【図４】
0006022176.tif 000005
【図５】
0006022176.tif 000006
【図６】
0006022176.tif 000007
【図７】
0006022176.tif 000008
【図８】
0006022176.tif 000009
【図９】
0006022176.tif 000010
【図１０】
0006022176.tif 000011
【図１１】
0006022176.tif 000012
【図１２】
0006022176.tif 000013
【図１３】
0006022176.tif 000014
【図１４】
0006022176.tif 000015
【図１５】
0006022176.tif 000016
【図１６】
0006022176.tif 000017
【図１７】
0006022176.tif 000018
【図１８】
0006022176.tif 000019
【図１９】
0006022176.tif 000020
【図２０】
0006022176.tif 000021
【図２１】
0006022176.tif 000022
【図２２】
0006022176.tif 000023